(57)【要約】【課題】効率よく出品状況を報知でき良好なオークション取引を提供するオークション取引情報報知システム。【解決手段】推薦するオークション取引情報をオークション取引情報取得手段161で取得する。推薦対象を特定するためのオークション検索語を取得する。オークション検索語に関連する商品を過去に落札したオークション取引情報をオークション取引情報データーベース151から検索する。検索したオークション取引情報に紐付けられた落札者に対応するユーザーをユーザー情報データーベース152から検索してユーザーを特定する。特定したユーザーの入札者側端末装置130へ、出品エントリーのオークション取引情報の内容のオークション推薦情報を配信して報知する。【選択図】図１
2010211690.tif 000002
【特許請求の範囲】
【請求項１】
ネットワークを介して接続され前記ネットワーク上でのオークションサービスを利用するユーザーが操作する端末装置に、出品者のオークション取引に関するオークション推薦情報を配信して報知するオークション取引情報報知装置であって、
出品者側端末装置で設定入力され前記ネットワークを介して送信されたオークション取引に関するオークション取引情報を取得するオークション取引情報取得手段と、
前記出品者側端末装置で設定入力されるオークション検索語を取得するオークション検索語取得手段と、
このオークション検索語取得手段で取得したオークション検索語に関連する商品を過去に落札または入札されたオークション取引情報を、オークション取引情報を記憶するオークション取引情報データーベースから該当するオークション取引情報を検索して取得するオークション取引情報検索手段と、
前記オークション取引情報検索手段で取得したオークション取引情報に紐付けられた過去に落札または入札したユーザーをユーザー情報データーベースから特定するユーザー特定手段と、
このユーザー特定手段により特定した前記ユーザーの端末装置へ、前記オークション取引情報取得手段で取得したオークション取引情報におけるオークション取引の推薦に関するオークション推薦情報を送信する報知手段と、
を具備したことを特徴としたオークション取引情報報知装置。
【請求項２】
請求項１に記載のオークション取引情報報知装置であって、
前記オークション取引情報検索手段は、前記オークション検索語と同義語および類義語のうちの少なくともいずれか一方に関連する商品を過去に落札または入札されたオークションも含めて前記オークション取引情報を複数記憶するオークション取引情報データーベースを検索する
ことを特徴としたオークション取引情報報知装置。
【請求項３】
請求項１または請求項２に記載のオークション取引情報報知装置であって、
前記報知手段は、前記特定したユーザーのうち、前記出品者側端末装置で選択されたユーザーの端末装置へ、前記オークション推薦情報を送信する
ことを特徴としたオークション取引情報報知装置。
【請求項４】
請求項１から請求項３までのいずれか一項に記載のオークション取引情報報知装置であって、
前記ユーザー特定手段は、前記オークション取引情報に基づいて特定したユーザーであって前記出品者の他のオークション取引で過去に落札または入札したユーザーをも特定する
ことを特徴としたオークション取引情報報知装置。
【請求項５】
請求項１から請求項４までのいずれか一項に記載のオークション取引情報報知装置であって、
前記オークション取引情報データーベースに基づいて、前記オークション取引情報取得手段で取得したオークション取引情報に対応するオークション取引が終了したか否かを判断するオークション取引終了判断手段を具備し、
前記報知手段は、前記オークション取引終了判断手段にて前記オークション取引情報取得手段で取得したオークション取引情報に対応するオークション取引が終了したことを認識した場合、前記オークション推薦情報の送信を中止する
ことを特徴としたオークション取引情報報知装置。
【請求項６】
請求項５に記載のオークション取引情報報知装置であって、
現在時刻を計時する計時手段を具備し、
前記オークション取引終了判断手段は、更に前記オークション検索語取得手段で取得したオークション取引情報のうち、現在時刻において実施中のオークション取引情報を認識し、これらオークション取引情報のオークション取引が終了したか否かを判断し、
前記報知手段は、前記オークション取引終了判断手段にて前記オークション検索語取得手段で取得したオークション取引が終了したことを認識したオークション取引情報に基づいて前記ユーザー特定手段で特定したユーザーの端末装置へ、前記オークション推薦情報を送信する
ことを特徴としたオークション取引情報報知装置。
【請求項７】
請求項１から請求項６までのいずれか一項に記載のオークション取引情報報知装置であって、
現在時刻を計時する計時手段を具備し、
前記ユーザー特定手段は、当該特定のユーザーに紐付けられたオークション取引情報に基づいて過去の落札または入札した日時を取得して、特定したユーザーのうち、当該日時から前記計時手段で計時する現在時刻までの経過時間が所定時間以内のユーザーを特定する
ことを特徴としたオークション取引情報報知装置。
【請求項８】
演算手段により、ネットワークを介して接続され前記ネットワーク上でのオークションサービスを利用するユーザーが操作する端末装置に、出品者のオークション取引に関するオークション推薦情報を配信して報知するオークション取引情報報知方法であって、
前記演算手段は、
出品者側端末装置で設定入力され前記ネットワークを介して送信されたオークション取引に関するオークション取引情報を取得するオークション取引情報取得工程と、
前記出品者側端末装置で設定入力されるオークション検索語を取得するオークション検索語取得工程と、
このオークション検索語取得工程で取得したオークション検索語に関連する商品を過去に落札または入札されたオークション取引情報を、オークション取引情報を記憶するオークション取引情報データーベースから該当するオークション取引情報を検索して取得するオークション取引情報検索工程と、
このオークション取引情報検索工程で取得したオークション取引情報に紐付けられた過去に落札または入札したユーザーをユーザー情報データーベースから特定するユーザー特定工程と、
このユーザー特定工程により特定した前記ユーザーの端末装置へ、前記オークション取引情報取得工程で取得したオークション取引情報におけるオークション取引の推薦に関するオークション推薦情報を送信する報知工程と、を実施する
ことを特徴とするオークション取引情報報知方法。
【発明の詳細な説明】
【技術分野】
【０００１】
本発明は、ネットワーク上でのオークション取引を実施するユーザーの端末装置にオークション取引に関する案内の情報を配信して報知するオークション取引情報報知装置およびその方法に関する。
【背景技術】
【０００２】
インターネットを利用してオークションであるいわゆるネットオークションを実施する各種方法が知られている（例えば、特許文献１および非特許文献１参照）。
【０００３】
特許文献１に記載のものは、インターネットを介してクライアント端末からの接続要求を認識したサーバは、クライアントの認証をし、オークションに関するオークション取引情報をクライアント端末に送信する。オークション取引情報に基づいてクライアント端末で入札のための各種情報を設定入力し、サーバへ入札情報を送信する。そして、サーバは、入札情報を集計し、入札情報を送信した各クライアント端末へ集計した集計情報を送信する。このように、受付期間まで、入札情報と集計情報との送受信が継続され、最終的な落札状況をクライアント端末へ送信する構成が採られている。
しかしながら、特許文献１に記載のような、利用者が所望とする商品のオークションの実施期間を知るためには、逐次、サーバに接続してオークションに関する情報を取得する必要がある。また、出品者側についても、自らのオークション取引について利用者に広く商品を認識してもらい、比較的に高額で落札されることが望まれる。このように、さらなる良好なオークション取引が実施できる使い勝手のよい構成が望まれる。
【０００４】
非特許文献１に記載のものは、ネットオークションに関するウェブページ（web page）で、所定の条件を設定入力することで、出品する商品などに関する情報を掲載する領域が、「注目のオークション」として、ウェブページの上部に表示され、入札側で視認しやすくするウェブページが知られている。
しかしながら、この非特許文献１に記載のものでも、自らのオークション取引について利用者に推薦（レコメンド）しているものの、このウェブページにアクセスした不特定多数の利用者全てに開示される状態であり、出品する商品に興味がある特定の利用者に効率よく報知する構成が望まれる。
【先行技術文献】
【特許文献】
【０００５】
【特許文献１】特開２０００−４８０９９号公報
【非特許文献】
【０００６】
【非特許文献１】http://special.auctions.yahoo.co.jp/html/option/featured/index.html  2009年2月17掲載
【発明の概要】
【発明が解決しようとする課題】
【０００７】
上述したように、従来のネットオークションでは、利用者が所望とする商品などの出品状況を認識することが煩雑で、使い勝手の向上が望まれているとともに、出品者が出品する商品のより効率的な推薦告知による入札者の増大が望まれている。
【０００８】
本発明は、これらのような点に鑑み、効率よく出品状況を報知でき良好なオークション取引が得られるオークション取引情報報知装置およびその方法を提供することを目的とする。
【課題を解決するための手段】
【０００９】
本発明に記載のオークション取引情報報知装置は、ネットワークを介して接続され前記ネットワーク上でのオークションサービスを利用するユーザーが操作する端末装置に、出品者のオークション取引に関するオークション推薦情報を配信して報知するオークション取引情報報知装置であって、出品者側端末装置で設定入力され前記ネットワークを介して送信されたオークション取引に関するオークション取引情報を取得するオークション取引情報取得手段と、前記出品者側端末装置で設定入力されるオークション検索語を取得するオークション検索語取得手段と、このオークション検索語取得手段で取得したオークション検索語に関連する商品を過去に落札または入札されたオークション取引情報を、オークション取引情報を記憶するオークション取引情報データーベースから該当するオークション取引情報を検索して取得するオークション取引情報検索手段と、前記オークション取引情報検索手段で取得したオークション取引情報に紐付けられた過去に落札または入札したユーザーをユーザー情報データーベースから特定するユーザー特定手段と、このユーザー特定手段により特定した前記ユーザーの端末装置へ、前記オークション取引情報取得手段で取得したオークション取引情報におけるオークション取引の推薦に関するオークション推薦情報を送信する報知手段と、を具備したことを特徴とする。
ここで、本発明における商品は、商品のみならずサービスも含まれるものである。
また、本発明における過去に落札または入札されたオークション取引は、既に終了した過去のオークション取引で入札して落札した、もしくは入札したが落札できなかったもの、まだ終了していない実施中のオークション取引で入札しているもの、を含むものである。
【００１０】
そして、本発明では、前記オークション取引情報検索手段は、前記オークション検索語と同義語および類義語のうちの少なくともいずれか一方に関連する商品を過去に落札または入札されたオークションも含めて前記オークション取引情報を複数記憶するオークション取引情報データーベースを検索する構成とすることが好ましい。
【００１１】
また、本発明では、前記報知手段は、前記特定したユーザーのうち、前記出品者側端末装置で選択されたユーザーの端末装置へ、前記オークション推薦情報を送信する構成とすることが好ましい。
【００１２】
そして、本発明では、前記ユーザー特定手段は、前記オークション取引情報に基づいて特定したユーザーであって前記出品者の他のオークション取引で過去に落札または入札したユーザーをも特定する構成とすることが好ましい。
【００１３】
さらに、本発明では、前記オークション取引情報データーベースに基づいて、前記オークション取引情報取得手段で取得したオークション取引情報に対応するオークション取引が終了したか否かを判断するオークション取引終了判断手段を具備し、前記報知手段は、前記オークション取引終了判断手段にて前記オークション取引情報取得手段で取得したオークション取引情報に対応するオークション取引が終了したことを認識した場合、前記オークション推薦情報の送信を中止する構成とすることが好ましい。
【００１４】
そして、本発明では、現在時刻を計時する計時手段を具備し、前記オークション取引終了判断手段は、更に前記オークション検索語取得手段で取得したオークション取引情報のうち、現在時刻において実施中のオークション取引情報を認識し、これらオークション取引情報のオークション取引が終了したか否かを判断し、前記報知手段は、前記オークション取引終了判断手段にて前記オークション検索語取得手段で取得したオークション取引が終了したことを認識したオークション取引情報に基づいて前記ユーザー特定手段で特定したユーザーの端末装置へ、前記オークション推薦情報を送信する構成とすることが好ましい。
【００１５】
また、本発明では、現在時刻を計時する計時手段を具備し、前記ユーザー特定手段は、当該特定のユーザーに紐付けられたオークション取引情報に基づいて過去の落札または入札した日時を取得して、特定したユーザーのうち、当該日時から前記計時手段で計時する現在時刻までの経過時間が所定時間以内のユーザーを特定する構成とすることが好ましい。
【００１６】
本発明に記載のオークション取引情報報知方法は、演算手段により、ネットワークを介して接続され前記ネットワーク上でのオークションサービスを利用するユーザーが操作する端末装置に、出品者のオークション取引に関するオークション推薦情報を配信して報知するオークション取引情報報知方法であって、前記演算手段は、出品者側端末装置で設定入力され前記ネットワークを介して送信されたオークション取引に関するオークション取引情報を取得するオークション取引情報取得工程と、前記出品者側端末装置で設定入力されるオークション検索語を取得するオークション検索語取得工程と、このオークション検索語取得工程で取得したオークション検索語に関連する商品を過去に落札または入札されたオークション取引情報を、オークション取引情報を記憶するオークション取引情報データーベースから該当するオークション取引情報を検索して取得するオークション取引情報検索工程と、このオークション取引情報検索工程で取得したオークション取引情報に紐付けられた過去に落札または入札したユーザーをユーザー情報データーベースから特定するユーザー特定工程と、このユーザー特定工程により特定した前記ユーザーの端末装置へ、前記オークション取引情報取得工程で取得したオークション取引情報におけるオークション取引の推薦に関するオークション推薦情報を送信する報知工程と、を実施することを特徴とする。
【発明の効果】
【００１７】
本発明によれば、出品者側端末装置で設定入力され前記ネットワークを介して送信されたオークション取引を推薦する際に、出品者が入力するオークション検索語に関連する商品を過去に落札あるいは入札したユーザーを特定し、特定したユーザーの端末装置へ推薦したいオークション取引に関する情報を送信して報知するので、出品者が推薦したいユーザーに直接オークションへの参加を促すことが可能となる。また、ユーザーに対しても有益なオークション取引の情報が案内され、使い勝手がよく、利用の拡大が容易に図れる。
【図面の簡単な説明】
【００１８】
【図１】本発明に係る一実施形態におけるオークション取引情報報知システムを示すブロック図である。
【図２】本実施形態におけるオークション取引情報データーベースのテーブル構造を示す概略図である。
【図３】本実施形態におけるユーザー情報データーベースのテーブル構造を示す概略図である。
【図４】本実施形態における関連商品のオークションの検索結果一覧表示画面を示す概念図である。
【図５】本実施形態におけるオークションの案内画面を示す概念図である。
【図６】本実施形態における動作を示すフローチャートである。
【発明を実施するための形態】
【００１９】
以下、本発明の一実施形態に係るオークション取引情報報知システムについて、図面を参照して説明する。
図１は、本実施形態のオークション取引情報報知システムを示すブロック図である。
【００２０】
［オークション取引情報報知システムの構成］
図１において、100はオークション取引情報報知システムで、このオークション取引情報報知システム100は、ネットワークとしてのインターネット110上でのオークション取引であるオークション、いわゆるネットオークションを実施するシステムである。このオークション取引情報報知システム100は、出品者がネットオークションに出品する際もしくは出品後に、出品者が出品するネットオークションの内容を、その出品する対象商品に関連する商品を過去に本システムを利用して落札した人に案内するシステムである。
そして、このオークション取引情報報知システム100は、出品者側端末装置120と、入札者側端末装置130と、オークション取引情報報知装置としてのサーバ装置140とが、インターネット110を介して各種情報を送受信可能に接続されて構成される。
ここで、本発明では、出品する対象商品としては、物品である商品に限らず、無形のサービスも対象とするものである。
また、本発明におけるネットワークとしては、TCP(Transmission Control Protocol)/IP(Internet Protocol)などの汎用のプロトコルに基づくインターネット110に限られるものではない。例えば、LAN(Local Area Network)などのイントラネット、無線媒体により情報が送受信可能な複数の基地局がネットワークを構成する通信回線網や放送網などのネットワーク、さらには、データを直接受信するための媒体となる無線媒体自体など、データを送受信させるいずれの構成が利用できる。
【００２１】
（出品者側端末装置の構成）
出品者側端末装置120は、ネットオークションに出品する出品者が操作する端末装置である。この出品者側端末装置120は、インターネット110を介してサーバ装置140に接続し、ネットオークションに関する情報を送受信する。
そして、出品者側端末装置120は、例えばパーソナルコンピューターなどが用いられ、出品者側入力手段121と、出品者側表示手段122と、出品者側制御手段123と、などを備えている。
出品者側入力手段121は、例えばマウスやキーボードなどで、出品者により入力操作可能に設けられている。この出品者側入力手段121は、出品者側制御手段123に接続され、入力操作に応じて各種情報を設定入力する。
出品者側表示手段122は、出品者側制御手段123に接続され、出品者側制御手段123から送信される画像データを画面表示させる。この出品者側表示手段122としては、例えば液晶パネルやＰＤＰ、有機ＥＬパネル、ＣＲＴなど、各種表示装置を用いることができる。
出品者側制御手段123は、例えばＣＰＵ(Central Processing Unit)などを備え、出品者側端末装置120全体を制御するＯＳ(Operating System)上に展開される各種プログラムなどが構築される。
【００２２】
（入札者側端末装置の構成）
入札者側端末装置130は、ネットオークションに参加し入札するユーザーとしての入札者が操作する端末装置である。この入札者側端末装置130は、インターネット110を介してサーバ装置140に接続し、ネットオークションに関する情報を送受信する。
そして、入札者側端末装置130は、例えばパーソナルコンピューターなどが用いられ、入札者側入力手段131と、入札者側表示手段132と、入札者側制御手段133と、などを備えている。
入札者側入力手段131は、出品者側入力手段121と同様に、例えばマウスやキーボードなどで、入札者により入力操作可能に設けられ、接続する入札者側制御手段133に入力操作に応じた各種情報を設定入力させる。
入札者側表示手段132は、出品者側表示手段122と同様に、接続する入札者側制御手段133から送信される画像データを画面表示させる。
入札者側制御手段133は、出品者側制御手段123と同様に、例えばＣＰＵなどを備え、入札者側端末装置130全体を制御するＯＳ上に展開される各種プログラムなどが構築される。
【００２３】
（サーバ装置の構成）
サーバ装置140は、ネットオークションを実施するとともに、出品者が出品した商品である対象商品のネットオークションに関する案内を、その対象商品に関連した商品を過去に落札した入札者に対して配信し報知する装置である。
そして、サーバ装置140は、例えばパーソナルコンピューターなどが用いられ、記憶手段150と、演算手段160と、などを備えている。
【００２４】
記憶手段150は、演算手段160に各種情報を読み出しおよび記録可能に接続され、オークション取引情報データーベース151と、ユーザー情報データーベース152となど、各種テーブル構造の記憶領域を備えている。
また、記憶手段150には、ＯＳ上に展開される各種プログラムや、各種画面表示させるためのフォームなど、各種情報をも記憶している。
【００２５】
オークション取引情報データーベース151は、図２に示すように、出品者側端末装置120にて設定されたネットオークションに関するオークション取引情報151Aを複数記憶するテーブル構造に構築されている。
ユーザーの過去の落札または入札した行動履歴に関する行動履歴情報としても機能するオークション取引情報151Aは、ネットオークションを特定する識別番号に関するオークションＩＤ情報151A1と、ネットオークションのタイトルに関する対象商品情報でもあるオークションタイトル情報151A2と、対象商品の商品説明に関する対象商品情報でもある商品説明情報151A3と、ネットオークションが開催される期間に関するオークション期間情報151A4と、ネットオークションに入札している入札者を特定する識別番号に関する入札者ＩＤ情報151A5と、落札した落札者を特定する識別番号に関する落札者ＩＤ情報151A6と、などが１つのデータとして関連付けられている。
なお、本実施形態において、オークション取引情報151Aとして、後述するユーザーＩＤ情報と同一の落札者ＩＤ情報151A6が関連付けられた行動履歴情報としても機能するデータ構造に構築して説明したが、例えばユーザーＩＤ情報にオークション取引情報151Aを関連付けるなどして、オークション取引情報151Aとユーザーの行動履歴である落札または入札に関する情報とを分けたテーブル構造とするなどしてもよい。また、落札者ＩＤ情報151A6に代えて、後述するユーザー情報を関連付けて、オークション取引情報151Aとユーザー情報とが１つに関連付けられたテーブル構造とするなどしてもよい。
そして、このオークション取引情報データーベース151は、例えば、サーバ装置140の演算手段160に設けられたプログラムとしての出品情報取得手段にて、インターネット110を介して取得したオークション取引情報151Aを順次記憶させて構築したり、サーバ装置140の管理者が設定入力したりするなど、各種方法で構築される。具体的には、サーバ装置140から送信される出品エントリー用のフォームに基づいて出品者側端末装置120で設定入力されることで、出品情報取得手段にて設定入力された各項目を関連付けてオークション取引情報151Aとして取得してオークション取引情報151Aデーターベースに記憶させる。
【００２６】
ユーザー情報データーベース152は、図３に示すように、本システムを利用するユーザーに関するユーザー情報152Aを複数記憶するテーブル構造に構築されている。
そして、ユーザー情報152Aは、ユーザーを特定する識別番号に関するユーザーＩＤ情報152A1と、ユーザーの氏名に関する氏名情報152A2と、住所や電話番号などの連絡先に関する連絡先情報152A3と、ユーザーのメールアドレスに関するメールアドレス情報152A4と、ユーザーの嗜好に関する嗜好情報152A5と、などが１つのデータとして関連付けられている。
ここで、嗜好情報152A5としては、例えば本システムの利用に際して会員登録時などで実施されたアンケートに基づく情報である。
【００２７】
演算手段160は、例えばＣＰＵなどを備え、サーバ装置140全体を制御するＯＳ上に展開される各種プログラムなどが構築される。
すなわち、演算手段160は、図１に示すように、サーバ装置140全体を制御するＯＳ上に展開される各種プログラムとして、オークション取引情報取得手段161と、オークション検索語取得手段162と、オークション取引情報検索手段163と、ユーザー特定手段164と、オークション取引終了判断手段165と、報知手段166と、計時手段167と、などを備えている。
【００２８】
オークション取引情報取得手段161は、出品者側端末装置120で設定入力されたオークション取引情報のうち推薦するオークション取引情報151Aを、ネットワーク110を介して出品者側端末装置120から取得する。例えば、出品者側端末装置120からのネットオークションのエントリー要求に関する信号に基づいて生成され、一旦オークション取引情報データーベース151に蓄積されたネットオークションに関するオークション取引情報151Aを取得する。
このオークション取引情報151Aの取得としては、例えばオークションＩＤ情報151A1を設定入力することで取得したり、エントリー要求に応じて当該出品者が現在出品しているオークション取引情報を全て提示してその中から推薦対象となるオークション取引情報を出品者に指定させることで取得したりすることなどが例示できる。
【００２９】
オークション検索語取得手段162は、オークション取引を推薦する対象者を検索するために出品者側端末装置120で設定入力されたオークション検索語を取得する。このオークション検索語の取得としては、例えばサーバ装置140から送信される所定のフォームに設けられたテキストボックスへの設定入力により認識したり、出品者側端末装置120で設定した推薦するオークション取引情報151Aのオークションタイトル情報151A2や商品説明情報151A3の形態素解析などにより取得した語句と別途用意した商品名に関するデーターベースとから名称を認識したりするなどが例示できる。テキストボックスへの設定入力の場合には、出品者側端末装置120で出品する商品の名称か、出品する商品に関連する関連商品の名称かを設定できる構成としておくことで、データの紐付けが容易にできるので好ましい。
なお、本実施形態では、オークション検索語として出品者側端末装置120で所定のフォームに設けられたテキストボックスへ設定入力された場合を例示する。具体的には、詳細は後述するが、出品する商品は「○○○ケース」で、オークションの推薦情報を配信したい対象者が過去に落札した対象商品が「○○○」で、そのオークション取引を検索するために「○○○」をオークション検索語（所謂検索キーワードに相当する）としてテキストボックスに設定入力した場合を例示する。
【００３０】
オークション取引情報検索手段163は、オークション検索語取得手段162で取得したオークション検索語に関連する商品を過去に落札または入札されオークション取引情報151Aを記憶するオークション取引情報データーベース151から該当するオークション取引情報151Aを検索して取得する。
このオークション取引情報検索手段163における検索は、検索支援のために例えばオークション検索語もしくはこのオークション検索語と同義語または類義語となる語句を、オークションタイトル情報151A2や商品説明情報151A3に含むオークション取引情報151Aを検索するようにしてもよい。例えば、オークション検索語が「テーブル」の場合、その同義語である「机」などの検索語も含めて検索してもよい。このようにすることで、検索が不慣れな出品者に対して漏れのない検索の支援をすることが可能となる。
【００３１】
ユーザー特定手段164は、オークション取引情報検索手段163で取得したオークション取引情報151Aに紐付けられた過去に落札または入札したユーザーをユーザー情報データーベース152から特定する。すなわち、ユーザー特定手段164は、オークション取引情報検索手段163で検索したオークション取引情報151Aの落札者ＩＤ情報151A6と同一のユーザーＩＤ情報152A1を有したユーザー情報152Aを検索し、ユーザーを特定する。
さらに、ユーザー特定手段164は、検索したオークション取引情報151Aのうち、いずれかをオークション取引の推薦情報を配信する対象として出品者側端末装置120で選択可能としている。例えば、図４に示すように、ユーザー特定手段164により、検索されたオークション取引情報151Aをオークション取引情報データーベース151から検索した検索結果一覧を出品者側端末装置120で画面表示させ、この画面表示されている検索結果一覧画面170中に、オークション取引情報151A毎に設けられたチェックボックスにより選択可能とする。
ここで、図４に示す検索結果一覧画面170は、例えばウェブブラウザによる画面表示で表示される表示画面で、関連商品の名称である関連商品名称記述171が含まれる標題172と、検索されたオークション取引情報151Aのオークションタイトル情報151A2のタイトル記述173と、チェックボックス174と、全てのオークション取引情報151Aを選択する全チェックボックス175と、などを有している。
そして、ユーザー特定手段164は、上述したような各種方法で検索したオークション取引情報151Aの落札者ＩＤ情報151A6に対応するユーザー、すなわち落札者ＩＤ情報151A6と同一のユーザーＩＤ情報152A1を有するユーザー情報152のユーザーを、推薦するユーザーとして特定する。
【００３２】
オークション取引終了判断手段165は、出品者がエントリーしたオークション取引情報151Aに基づいて、そのネットオークションが終了したか否かを判断する。すなわち、計時手段167により計時する現在時刻が、オークション取引情報151Aのオークション期間情報151A4の期間を過ぎているか否かを判断し、現在時刻が過ぎていると判断したオークション取引情報151Aはネットオークションが終了しているものと判断する。
なお、例えば、オークション期間情報151A4の期間の終了直前数分前など、オークション案内を送ってもオークションが終了してしまうことを考慮した時間長で、オークションの終了を判断する閾値を設けるなどしてもよい。
また、ネットオークションが終了したオークション取引情報151Aに、終了した旨のフラグ情報を関連付け、フラグ情報に基づいて判断するなどしてもよい。この構成によれば、より高速に終了の有無を判断できる。
【００３３】
報知手段166は、ユーザー特定手段164により特定したユーザーの端末装置、すなわち、出品者側端末装置120で設定されオークション取引情報取得手段161で取得したオークション取引情報151Aに対して入札する側となる入札者側端末装置130へ、オークション取引情報151Aにおけるネットオークションの推薦に関するオークション推薦情報を送信する。
すなわち、報知手段166は、ユーザー特定手段164で認識したユーザー情報152Aのメールアドレスを宛先として、所定のフォームに基づいて、推薦するエントリーされたネットオークションの推薦内容に関する案内情報、すなわちオークション推薦情報を配信し、入札者側端末装置130の入札者側表示手段132で画面表示させて入札者に報知する。
ここで、報知するフォームとしては、例えば図５に示すように、報知手段166により、出品者側端末装置120で設定入力されオークション取引情報取得手段161で取得したオークション取引情報151Aにおける対象商品に関する対象商品情報を記述するものが例示できる。すなわち、図５に示すオークション推薦情報を表示するオークション推薦情報表示画面180は、例えば電子メールプログラムにより配信される電子メールの画面表示である。このオークション推薦情報表示画面180は、ユーザー情報152AのユーザーＩＤ情報152A1または氏名情報152A2を宛先記述181として、オークションに出品される対象商品の名称記述182と、この対象商品に関連し過去に落札した関連商品の関連名称記述183と、出品者のユーザー情報152AのユーザーＩＤ情報152A1または氏名情報152A2を記述する出品者記述184と、ネットオークションが実施されるウェブページのＵＲＬ情報記述185などを有している。
【００３４】
計時手段167は、現在時刻を計時する。
この計時手段167は、例えば、内部クロックの基準パルスなどに基づいて現在時刻を認識する。そして、この計時手段167は、演算手段160の各種プログラムで利用可能に、認識した現在時刻に関する時刻情報を適宜出力する。
【００３５】
［オークション取引情報報知システムの動作］
次に、本実施形態のオークション取引情報報知システムの動作を、図６に示すフローチャートに基づいて説明する。
なお、本実施形態では、本システムを利用するために、例えば会員登録などにより既にユーザー情報152Aがサーバ装置140に記憶され、ネットオークション利用可能者として設定されている状態で例示する。また、既に、ネットオークションが実施されて落札されたネットオークションが記録されている状態で例示する。
【００３６】
（出品エントリー）
まず、出品者は、出品者側端末装置120によりインターネット110を介してネットオークションに参加するためにウェブページを閲覧する処理をする。この際、出品者側端末装置120で所定のフォームに基づいてサーバ装置140に対してログイン要求する（ステップS101）。そして、サーバ装置140がユーザー情報152Aなどに基づいてログインを認証するとともに、ネットオークションに参加するための各種フォームを出品者側端末装置120へ送信する（ステップS102）。
サーバ装置140から送信される各種フォームに基づいて、ネットオークションに出品するためのエントリー要求に関する各種情報、すなわちネットオークションのオークション取引の内容に関する情報の設定入力をする（ステップS103）。このステップS103で設定入力されたオークション取引情報151Aは、例えばサーバ装置140の図示しない出品情報取得手段にて取得し、オークション取引情報データーベース151に記憶させる処理をする。
【００３７】
（推薦（レコメンド）処理）
出品者が自己のオークション取引を推薦したい場合には、例えば、本システムにログイン、あるいはステップS103の出品エントリー処理の後、推薦処理を要求する旨の設定入力をする。例えば、サーバ装置140から送信される所定フオームに基づいて、推薦するオークション取引を特定する設定入力をする（ステップS111）。ここで、オークション取引の特定としては、例えばフォームに基づいてオークションＩＤ情報151A1を設定入力したり、ログインに伴って認識したユーザー情報からユーザー情報に別途紐付けられたオークションＩＤ情報151A1を一覧表示させて出品者が選択設定したりするなどが例示できる。
このステップS111で設定入力されたオークション取引を特定する情報に基づいて、サーバ装置140は、オークション取引情報取得手段161により、オークション取引情報151Aをオークション取引情報データーベース151から検索し取得する（ステップS112）。
【００３８】
また、サーバ装置140は、ステップS112でオークション取引情報151Aを取得するとともに、オークション検索語情報取得手段162により推薦対象者を特定するためのオークション検索語を取得する処理をする。例えば、ステップS112でオークション取引を特定するための設定入力と合わせて、フォームのテキストボックスに出品者側端末装置120で設定入力されたオークション検索語に関するオークション検索語情報を取得する（ステップ113）。
なお、テキストボックスで設定入力されたオークション検索語を取得する構成を例示したが、例えば、ステップS112で取得したオークション取引情報151Aのオークションタイトル情報151A2や商品説明情報151A3の形態素解析などにより取得した語句と別途用意した商品名に関するデーターベースとから同一の商品名をオークション検索語として認識したりするなどしてもよい。
【００３９】
そして、サーバ装置140は、オークション取引情報検索手段163により、ステップS113で取得したオークション検索語に関連する商品を過去に落札または入札されたオークション取引情報151Aを、オークション取引情報データーベース151から検索する（ステップS114）。例えば、オークション検索語もしくはこのオークション検索語と同義語または類義語となる語句を、オークションタイトル情報151A2や商品説明情報151A3に含むオークション取引情報151Aを検索する。
この後、サーバ装置140は、検索したオークション取引情報151Aを、例えば図４に示す検索結果一覧画面170として出品者側端末装置120で画面表示させ、いずれかのオークション取引情報151Aの選択を促す処理をする（ステップS115）。
【００４０】
検索結果一覧画面170を画面表示する出品者側端末装置120で、いずれかのオークション取引情報151Aを選択、すなわちチェックボックスをチェックして設定入力されると（ステップS116）、インターネット110を介してサーバ装置140は、選択されたオークション取引情報151Aに基づいて、ユーザー特定手段164にてユーザーを特定する（ステップS117）。
すなわち、ユーザー特定手段164は、ステップS116で選択されたオークション取引情報151Aの落札者ＩＤ情報151A6を認識し、ユーザー情報テータ-ベース152に基づいて配信するユーザーを特定する。
【００４１】
さらに、サーバ装置140は、オークション取引終了判断手段165により、オークション取引情報151Aのオークション期間情報151A4と、計時手段167で計時する現在時刻の時刻情報とに基づいて、出品するオークション取引情報151Aに対応するネットオークションが終了したか否かを判断する（ステップS118）。
このステップS118で、ネットオークションが終了していないと判断した場合には、報知手段166により、図５に示すオークション推薦情報表示画面180のようなオークション推薦情報を作成し、ステップS117でユーザー特定手段164により特定したユーザーに対して配信する（ステップS119）。
【００４２】
［実施形態の効果］
上述した実施形態では、推薦するネットオークションに出品エントリーされるオークション取引情報151Aを取得するとともに、オークション検索語に関連する商品を過去に落札したオークション取引情報151Aを取得し、これらオークション取引情報151Aに紐付けられたユーザーを特定し、この特定したユーザーの入札者側端末装置130へ、取得したオークション取引情報151Aにおけるネットオークションの推薦に関するオークション推薦情報を配信して報知する。
このため、オークションに参加した全ユーザーを対象として広範囲に自らのオークションを推薦でき、入札する可能性が増大し、良好なオークションを提供することが可能となる。特に、関連する商品を落札または入札し、出品商品についても落札する意欲がある可能性が高いユーザーに推薦することが可能なので、より入札する可能性も高く、良好なオークション取引が得られる。さらには、このような落札者は既にネットオークションを利用しており、興味のある過去に落札した対象商品に関連するネットオークションの案内が配信されることで、ネットオークションに逐次ログインしてネットオークションの状況を確認する煩雑も低減でき、ユーザーにとっても有益な情報が得られる。さらには、レコンドを送信する出品者側についても、自己の出品エントリーしているオークション取引やオークション検索語を設定する簡単な設定でよく、使い勝手も向上し、利用の拡大も容易に図れる。
【００４３】
そして、本実施形態では、例えばオークション検索語と同一の語句または同義語あるいは類義語を含むオークション取引情報151Aを検索しているので、簡単な構成で推薦対象のオークション取引を特定することができる。
また、オークション検索語として、例えば推薦するオークション取引情報151Aに基づいて同義語あるいは類義語となる語句から抽出するなどすることで、出品者側でのオークション検索語の設定入力も省略可能となり、より使い勝手の向上が図れる。
【００４４】
また、本実施形態では、出品する対象商品に関連する対象商品を過去に落札したオークション取引情報151Aの一覧を出品者側端末装置120に配信し、出品者にていずれか選択されたオークション取引情報151Aの落札者ＩＤ情報151A6へ、オークション推薦情報を配信している。
このため、出品する対象商品に関連する関連商品を含むオークション取引情報151Aが複数検出される状態でも、一覧表示されるオークション取引情報151Aから落札者の行動履歴を判断可能で、より適切な落札者に対して配信する構成が得られる。さらには、一覧表示されるオークション取引情報151Aがオークション取引の内容を比較的に認識できる場合には、出品者が入札あるいは落札して欲しいユーザーに対して案内報知できることから、出品者側の意向も反映され、より良好なネットオークションを提供できる。
【００４５】
さらに、本実施形態では、出品エントリーのオークション取引情報151Aのネットオークションが終了したか否かを判断し、既にネットオークションが終了しているオークション取引情報151Aについては、オークション推薦情報の配信を中止する制御をしている。
このため、案内に応じてユーザーがネットオークションに入札エントリーを実施しようとしても既にオークションが終了しているという不都合を防止できる。
【００４６】
また、本実施形態では、ネットオークションのオークション取引情報151Aと、本システムを利用するユーザー情報152Aとを利用するので、新たなデーターベースを構築するなどが必要なく、既存のネットオークションの構成を利用でき、汎用性が高く、利用の拡大も容易に図れる。
【００４７】
〔実施形態の変形例〕
なお、本発明は、前記した実施形態に限定されるものではなく、本発明の目的および効果を達成できる範囲内での変形や改良が、本発明の内容に含まれるものであることはいうまでもない。また、本発明を実施する際における具体的な構造および構成等は、本発明の目的および効果を達成できる範囲内において、他の構造や構成等としても問題はない。
【００４８】
例えば、落札者に対してオークション推薦情報を配信するように説明したが、例えば落札できなかった入札者に配信する構成としてもよい。すなわち、落札できなかった入札者は、その商品を購入する意欲が強く、他の手段で既にその対象商品を入手している可能性があることから、その対象商品に関連する商品も入札の可能性があり、入札者にも配信する構成としてもよい。この配信のための構成としては、上記実施形態のオークション取引情報151Aのように、入札者ＩＤ情報151A5を関連付けておくことで、落札者同様の方法でユーザー特定手段164により特定できる。この構成により、よりネットオークションの入札の可能性が高まり、良好なオークション取引が得られる。
さらには、落札者と入札者との双方に対して配信してもよく、本発明は、双方に配信する構成を除外するものではなく、落札者と入札者とのうちの少なくともいずれか一方へ配信するものである。
また、落札したオークション取引情報151Aに基づいてユーザー特定手段164でオークション推薦情報を配信する配信先を特定する構成を例示したが、現在進行しているオークションに入札している入札者に配信してもよい。このような入札者も上述した入札者同様、落札できなくても他の方法で入手する可能性があるためである。
【００４９】
また、本実施形態では、入札者側端末装置130でオークション推薦情報を表示により報知する構成を例示したが、例えば音声データを配信し、音声出力により報知するなどしてもよい。
さらに、オークション推薦情報の配信としては、電子メールの方法に限らず、例えばオークションにログインした際などに別ウィンドで表示させるなど、いずれの報知方法が利用できる。なお、本実施形態のように、案内の内容を認識する機会が高い電子メールで配信することが好ましい。
【００５０】
本実施形態では、出品する対象商品に関連する関連商品のオークション取引情報151Aを検索した一覧を出品者に一覧表示させ、適宜選択させる構成を例示したが、検索した一覧に自動的に配信する構成としてもよい。
【００５１】
また、ユーザー特定手段164は、出品者側の過去の出品に対して落札した落札者をオークション取引情報151Aから検索し、これらの落札者へも合わせてオークション推薦情報を配信する構成としてもよい。すなわち、お得意様など、特定のオークション取引の関係がある落札者がいる場合に、お得意様用の案内などとして利用するなど、特に有効である。
そして、このお得意様に対しても、出品者側端末装置120で一覧表示させてチェックボックスにて選択可能とし、選択した先のみに配信する構成としてもよい。
【００５２】
さらに、ネットオークションが終了したものは、オークション推薦情報を配信しない構成としたが、ネットオークションの喚起の意図、あるいは他の商品でのネットオークションの参加の増大などのために、終了したネットオークションのオークション推薦情報を配信してもよい。
また、オークション取引情報検索手段163で検索した推薦対象を特定するためのオークション取引情報151Aのネットオークションが終了していない、すなわち実施中である場合には、その実施中のネットオークションが終了したことをオークション取引終了判断手段165にて判断することにより、その終了して間もないネットオークションの落札者に対して、オークション取引情報取得手段161で取得したオークション取引情報151Aのネットオークションのオークション推薦情報を配信する、いわゆるオークション推薦情報の予約処理を実施してもよい。この構成を実施することで、案内する対象者がより増えるとともに、落札したばかりで、その商品に関連する関連商品を購入する可能性が高い落札者に案内できることとなり、より効率よく案内できる。
さらに、オークション取引情報検索手段163で検索したオークション取引情報151Aのネットオークションが終了して（落札した日時）から、所定時間長、すなわち、あまり時間が経過していないオークション取引情報151Aの落札者ＩＤ情報151A6のユーザーに、オークション取引情報取得手段161で取得したオークション取引情報151Aのオークション推薦情報を配信する構成としてもよい。この構成により、落札してからあまり時間が経過しておらず、落札した対象商品に関する興味が高い段階でオークション推薦情報を配信することとなり、より入札する可能性が高く、より良好なオークションを提供できる。
また、実施中のネットオークションの状態を監視し、ネットオークションが終了したことを認識すると、このネットオークションの対象商品を落札したユーザーをオークション取引情報151Aから認識し、この落札した対象商品に関連する対象商品のネットオークションのオークション推薦情報を配信してもよい。この構成によれば、落札してまもない落札者に、落札した商品に関連する関連商品のネットオークションの案内が配信されるので、関連商品のネットオークションにも入札する可能性が高く、良好なオークションが提供できるとともに、落札者にとっても関連商品を購入するための新たなネットオークションに関する情報の検索が不要で、使い勝手を向上できる。
【００５３】
その他、本発明の実施における具体的な構成および形態などは、本発明の目的を達成できる範囲で他の構造などとしてもよい。
【符号の説明】
【００５４】
１００………オークション取引情報報知システム
１１０………ネットワークであるインターネット
１２０………出品者側端末装置
１３０………端末装置である入札者側端末装置
１４０………オークション取引情報報知装置としてのサーバ装置
１５１Ａ……オークション取引情報
１５１Ａ６…ユーザー情報としての落札者ＩＤ情報
１５２Ａ……ユーザー情報
１６０………演算手段
１６１………オークション取引情報取得手段
１６２………オークション検索語取得手段
１６３………オークション取引情報検索手段
１６４………ユーザー特定手段
１６５………オークション取引終了判断手段
１６６………報知手段
１６７………計時手段
【図１】
2010211690.tif 000003
【図２】
2010211690.tif 000004
【図３】
2010211690.tif 000005
【図４】
2010211690.tif 000006
【図５】
2010211690.tif 000007
【図６】
2010211690.tif 000008